(57)【特許請求の範囲】
【請求項１】
シャッターケースのサイド部分を構成する左右ブラケットに、外側から被うようにしてサイドカバーを取付けてなる建築用シャッターにおいて、以下の条件を備えたことを特徴とする建築用シャッターのサイドカバー構造。
１．サイドカバーは躯体側に取り付けられる躯体側部材と、該躯体側部材の屋外側に連結される屋外側部材の二部材から構成されている。
２．屋外側部材・躯体側部材共に正面視において上下対称に形成されている。
３．躯体側部材は本体面と、本体面の上下部からそれぞれ垂直方向に延出した第一側片・第二側片とから構成されている。
４．躯体側部材の見込み方向の幅はガイドレールの出幅寸法よりも幅広に形成されている。
５．第一側片、第二側片にはそれぞれ切り落とし溝が形成され切り落とし溝よりも先端の部分が切り落とし可能に形成されており、切り落とすことによりガイドレールの通過する空間を確保できるように構成されている。
【発明の詳細な説明】
【０００１】
【発明の属する技術分野】
本発明はマンション、住宅等の建築物の開口部に取り付けられる建築用シャッターのサイドカバー構造に関するものである。
【０００２】
【従来の技術】
従来例を図６〜図８に基づいて説明する。建築用シャッターの各ブラケットＡの外側には、シャッターケースＢの各ケース板の端部の保護、意匠性及び水密性の向上を目的としてサイドカバーＣが取り付けられていた。このサイドカバーＣは図６に示すように樹脂で形成された一体ものであり、シャッターケースＢの断面形状とほぼ同一形状の本体面Ｃ１と、本体面の周縁の上辺・前辺・下辺・後辺のうち上辺・前辺・下辺を本体面Ｃ１に対して垂直方向に突出させた上部側片Ｃ２・前部側片Ｃ３及び下部側片Ｃ４から構成されており、シャッターケースＣの左右側端部に各ケース板の端部を被うようにして取り付けられていた。またガイドレールＤはほぼブラケットに沿って取り付けられるためサイドカバーＣをブラケットＡに固定するときにはガイドレールＤが通る部分をサイドカバーに形成する必要があった。このため下部側辺Ｃ４にはガイドレールＤを通すための切り欠き部Ｃ５が形成されていた。各ケース板のうち下面ケース板Ｂ１は、施工後のメンテナンス時にサイドカバーＣを外すことなく取り外しができるようになっていて、その開口部よりシャッターケースＢ内の部品の保守・点検等を行っていた。
【０００３】
一方、現場ではシャッターが取り付けられる時には建築物はまだ壁仕上げがされていない状態であり、シャッターが取り付けられた後に壁仕上げが行われることとなる。そのような場合には図７に示すように外壁部Ｅの仕上げがサイドカバーＣにかかった状態で壁仕上げがされていた。
【０００４】
【発明が解決しようとする課題】
上記のような場合では、サイドカバーＣと外壁Ｅの間はシール材Ｅ１によりシーリング加工が施されているため、外壁仕上げ後はサイドカバーＣを外すことができずシャッターケースＢの前面を被う正面ケース板Ｂ２を取り外してシャッターケースＢ内の部品のメンテナンスをすることができなかった。このため下面ケース板Ｂ１のみを外してメンテナンスを行う必要があり作業性が悪く、また巻き取りシャフトＦを交換するような場合には実質的に下面ケースＢ１だけを取り外したものでは作業が行えない恐れがあった。そこで本出願人はサイドカバーを二分割にすることで外壁仕上げ後でもサイドカバーの屋外側の部材を取り外し可能にしてシャッターケースの前面部を開放させることのできるサイドカバーを発明した。この技術により上記の課題は解決される。
【０００５】
しかし、サイドカバーは前述の如く下部側片にガイドレールの通過する切り欠き部を形成する必要があるため、サイドカバーを上下対称形すなわち左右兼用のサイドカバーとすることできなかった。このためサイドカバーを２部材から構成すると左右併せて計４部材必要になり部品点数の増加によるコストアップ及び在庫管理の煩雑化を招き、さらには取り付け時の付け間違えを起こす恐れがあった。
【０００６】
本発明は、上記の如き実状に鑑み、これらの課題を解決することを目的として創
作されたものであって、シャッターケースのサイド部分を構成する左右ブラケットに、外側から被うようにしてサイドカバーを取付けてなる建築用シャッターにおいて、以下の条件を備えたことを特徴とする建築用シャッターのサイドカバー構造。
１．サイドカバーは躯体側に取り付けられる躯体側部材と、該躯体側部材の屋外側に連結される屋外側部材の二部材から構成されている。
２．屋外側部材・躯体側部材共に正面視において上下対称に形成されている。
３．躯体側部材は本体面と、本体面の上下部からそれぞれ垂直方向に延出した第一側片・第二側片とから構成されている。
４．躯体側部材の見込み方向の幅はガイドレールの出幅寸法よりも幅広に形成されている。
５．第一側片、第二側片にはそれぞれ切り落とし溝が形成され切り落とし溝よりも先端の部分が切り落とし可能に形成されており、切り落とすことによりガイドレールの通過する空間を確保できるように構成されている。
【０００７】
【発明の実施の形態】
次に本発明の実施形態について図面に基づいて説明する。図１は本発明に係る建築用シャッターの正面図で図面において１は金属製のスラットを上下に連結して構成されるシャッターカーテンであって、シャッターカーテン１の上端は左右一対のブラケット２を介して建物開口部上方に架設された巻き取りシャフト３に装着されていて、巻き取りシャフト３の正逆回転により建物開口部の左右両側に立設したガイドレール４にガイドされながらシャッターカーテン１が繰り出し、巻き取られ開口部を開閉する構成になっている。尚、５はブラケットの外側から被せるようにして取り付けられるサイドカバーであって該サイドカバー５は樹脂製でありシャッター上回り部分を被うシャッターケース６の意匠性と水密性の向上を目的として取り付けられている。
【０００８】
図４に示すようにシャッターケース６は左右ブラケット２、２と該左右ブラケット２，２間に取り付けられシャッターケース６の骨組みとなるアングル６ａと、シャッターケース６の上面の一部を被う上面ケース板６ｂとシャッターケースの上面の一部と正面と下面を被う正面ケース板６ｃからなり、各ケース板は左右ブラケット２，２及びアングル６ａにネジ等で固定される。
【０００９】
サイドカバーは図４及び図５に示すようにシャッターケースのサイド部分の躯体側に取り付けられる躯体側部材７と、躯体側部材７の屋外側に連結される屋外側部材８から構成されている。
【００１０】
図２はサイドカバーの躯体側部材７を示す図で（ａ）平面図及び底面図（ｂ）背面図（ｃ）側面図（ｄ）正面図である。躯体側部材７は本体面７１と、本体面７１の上辺と下辺から垂直方向に延出し各ケース板の端部を被う第一側片７２・第二側片７３と、本体面７１の躯体側の側辺より第一側片７２・第二側片７３とは反対方向に延出した被覆片７４とで構成されている。本体面７１は正面視略長方形状であり、また本体面７１と被覆片７４合わせた躯体側部材７の見込み方向の幅Ｌ１は外壁部１０の厚さＬ２よりも大きく、さらにその外壁部１０の厚さより大きいガイドレール４の出幅寸法Ｌ３よりも幅広に形成されている。７５は本体面から第一側片７２・第二側片７３と同方向に垂直延出したブラケット当接片であって、このブラケット当接片７５がブラケット２に当たることで本体面７１とブラケット２がブラケット当接片７５の高さ分の間隔をもて取り付けられる。尚、ブラケット当接片７５の高さは第一側片７２・第二側片７３の高さよりも小さく設定されている。また７６は本体面の屋外側の側辺に本体面７１、第一側片７２、第二側片７３、ブラケット当接片７５で囲まれて形成される被嵌合部であり、この被嵌合部７６に後述する屋外側部材８の嵌合部８５をはめ合わせることでサイドカバー５の躯体側部材７と屋外側部材８とが連結されることになる。
【００１１】
前記被覆片７４はブラケット２の躯体取り付け片２ａ全体を覆うように躯体９に沿って取り付けられ、この躯体取り付け片２ａが取り付けられている部分からの水の浸入を防ぐために躯体側部材７に形成されている。尚、前記被覆片７４は図５に示すように躯体取り付け片２ａがシャッターケース６の外側に露出する場合には特に必要であるが、躯体取り付け片２ａがシャッターケース６の内側に収まる場合には必ずしも躯体側部材７に形成させる必要はない。前記第一側片７２と第二側片７３はそれぞれ本体面７１側のベース部７２ａ、７３ａと、ベース部７２ａ、７３ａよりも先端側で見込み幅がベース部７２ａ、７３ａよりも少し幅狭な先端部７２ｂ、７３ｂとからなり、ベース部７２ａ、７３ａと先端部７２ｂ、７３ｂの境目には躯体側部材７の見込み方向に向けて切り落とし溝７２ｃ、７３ｃが形成されている。前記切り落とし溝７２ｃ、７３ｃはベース部７２ａ、７３ａと先端部７２ｂ、７３ｂの厚さのほぼ半分程度の深さの溝であり、ペンチ等で先端部７２ｂ、７３ｂを切り落とし溝７２ｃ、７３ｃに沿って折り曲げることで先端部７２ｂ、７３ｂの切断が可能である。また前記先端部７２ｂ、７３ｂの見込み幅はガイドレール４の出幅寸法Ｌ３とほぼ同一寸法である。尚、躯体側部材７は図２（ｄ）の中心線Ｘ−Ｘを境として上下対称形に形成されている。
【００１２】
図３はサイドカバーの屋外側部材８を示す図で（ａ）平面図及び底面図（ｂ）背面図（ｃ）側面図（ｄ）正面図である。屋外側部材８は図３（ｄ）に示すように正面視において正面ケース板６ｃの断面形状に沿った形状となっており、シャッターケース６の長さ方向左右端部に上面ケース板６ｂの一部と正面ケース板の６ｃ端部を被うように取り付けられる。屋外側部材８は本体面８１と、本体面８１の周縁を構成する上辺、前辺、下辺、後辺のうち上辺、前辺、下辺を本体面８１に対して垂直延出させて形成した上部側片８２、前部側片８３、下部側片８４と、本体面８１、上部側片８２、下部側片８４のそれぞれより一段段落ちして形成される嵌合部８５とから構成されている。前述の通りこの嵌合部８５が躯体側部材７の被嵌合部７６にはめ合わされることで躯体側部材７と屋外側部材８との連結がなされる。また躯体側部材７同様に屋外側部材８の本体面８１にもブラケット当接片８６が形成され、このブラケット当接片８６の高さ分の間隔をもってブラケット２に取り付けられる。尚、屋外側部材８は図３（ｄ）の中心線Ｙ−Ｙを境として上下対称に形成されている。
【００１３】
以上のように形成された躯体側部材７と屋外側部材８はシャッターケース６の左右端部に各ケース板の端部を覆うようにして、それぞれの本体面７１，８１に形成されたネジ孔からネジにより左右ブラケット２，２に固定される。
【００１４】
次にサイドカバー５の取り付けについて説明する。シャッターケース６は左右ブラケット２、２・アングル６ａ・各ケース板６ｂ、６ｃそして巻き取りシャフト３が既に組み合わさった状態で工場より現場に搬送され、建物開口部の上方へブラケット２の躯体取り付け片２ａを介して固定される。その後にサイドカバー５が固定されることとなるが、まず図４に示すようにシャッターケース６の左側端部に取り付けるには、上下対称に形成された躯体側部材７を取り付けたときにシャッターケース６の下側にくる第二側片７３の先端部７３ｂを切り落とし溝７３ｃに沿って折り曲げることで切断させ、シャッターカーテン６をガイドするガイドレール４の通過する空間を確保する必要がある。一方シャッターケース６の右側端部に取り付ける場合は、上下対称である躯体側部材７を上下逆さまにして取り付けることとなる。このときはシャッターケース６の下側になる第一側片７２の先端部７２ｂを切断して取り付けられる。すなわち第一側片７２と第二側片７３のどちらか一方ずつ先端部７２ｂ、７３ｂを切断したものを用意しておく。この切断は現場で行っても工場の時点で行っていても良い。
【００１５】
また屋外側部材８は躯体側部材７と違い左右ブラケット２，２に取り付ける場合には、上下を逆さまにするだけでよく特に加工は必要とはしない。このようにしてサイドカバー５は取り付けられるので、従来ガイドレールの通過する切り欠き部が必要なため上下対称形のサイドカバーは製作することができなかったが、躯体側部材７の第一側片７２と第二側片７３に切り落とし可能な先端部７２ｂ、７３ｂを形成したためシャッターケース６の左右端部に取り付ける場合には第一側片７２ｂと第二側片７３ｂの一方ずつを切り落としたものをそれぞれシャッターケース６の端部に取り付けることでガイドレール４の通過する空間を確保できる。よって躯体側部材７は１種類の形状のもので左右兼用が可能になる。また屋外側部材８も上下対称に形成されているため、上下を逆さまにして取り付けることができ、躯体側部材７、屋外側部材８それぞれ１種類の形状でシャッターケース６の左右両端部に取り付けることができる。また躯体側部材７の見込み方向幅はガイドレール４の出幅寸法Ｌ３より幅広なため屋外側部材８に躯体側部材７に相当する切り落とし可能な先端部７２ｂ，７３ｂを形成する必要がない。さらに第一側片７２、第二側片７３の各先端部７２ｂ，７３ｂの見込み方向の幅はガイドレール４の出幅寸法Ｌ３と同寸法であるためサイドカバー５を取り付けたときにその部分に隙間が発生しない。
【００１６】
【発明の効果】
本発明は、以上のように構成されているため、外壁施工後シャッターケースの前面部を開放することができるようにサイドカバーを２部材で構成しても躯体側部材・屋外側部材がそれぞれ上下対称形であり、また躯体側部材の第一側片、第二側片にはそれぞれ切り落とし可能な先端部が形成されていてシャッターケースの左端部に取り付ける場合には第一側片の先端部を、シャッターケースの右端部に取り付けるには第二側片の先端部をそれぞれ切り落とすことによりガイドレールの通過する空間を確保できるため、躯体側部材と屋外側部材を上下を逆さまにしてシャッターケースの左右端部に取り付けられることができる。よって各部材が左右兼用になるため部品点数が増加することがなく各部材のコストアップが避けられ、また在庫管理等が煩雑になることがなく、さらには取り付け時のミスをなくすことができる。
【図面の簡単な説明】
【図１】本発明に係る建築用シャッターの正面図
【図２】（ａ）躯体側部材の平面図及び底面図
（ｂ）同背面図
（ｃ）同側面図
（ｄ）同正面図
【図３】（ａ）屋外側部材の平面図及び底面図
（ｂ）同背面図
（ｃ）同側面図
（ｄ）同正面図
【図４】要部分解斜視図
【図５】要部横断面図
【図６】従来のサイドカバーの斜視図
【図７】従来の建築用シャッターの横断面図
【図８】従来の建築用シャッターの縦断面図
【符号の説明】
５      サイドカバー
７      躯体側部材
７１    本体面
７２    第一側片
７２ａ  ベース部
７２ｂ  先端部
７３    第二側片
７３ａ  ベース部
７３ｂ  先端部
７６    被嵌合部
８      屋外側部材
８１    本体面
８５    嵌合部
９      躯体
１０    外壁（部）
【図１】
0003637477.tif 000002
【図２】
0003637477.tif 000003
【図３】
0003637477.tif 000004
【図４】
0003637477.tif 000005
【図５】
0003637477.tif 000006
【図６】
0003637477.tif 000007
【図７】
0003637477.tif 000008
【図８】
0003637477.tif 000009